(57)【特許請求の範囲】
【請求項１】
補正前入力画像の各画素データから第１の色差信号成分および第２の色差信号成分を算出する補正前画像入力部と、
前記補正前入力画像の各画素の前記第１の色差信号成分および前記第２の色差信号成分のうち、絶対値の大きい方の値として、前記補正前入力画像の各画素の彩度を近似する簡易彩度を算出する簡易彩度算出部と、
前記第１の色差信号成分と前記第２の色差信号成分との各々を直交座標軸とする直交座標系上に無彩色を原点とし彩度を動径とし色相角を偏角とする極座標系を定義したときに、前記各画素の色相角が前記直交座標系における４つの象限のうちのいずれを示しているかを前記第１の色差信号成分と前記第２の色差信号成分との各々の符号に基づいて判別する第１の判別、及び、前記各画素の色相角が前記直交座標系における２つの座標軸のどちらに近い角度を表しているかを前記第１の色差信号成分と前記第２の色差信号成分との各々の絶対値の大小関係に基づいて判別する第２の判別を行い、前記第２の判別によって近い角度を表していると判別された座標軸について、前記第１の判別により判別された象限に応じて予め定義しておいた簡易色相角に対し、前記第１の色差信号成分に対する前記第２の色差成分の比率と前記第２の色差信号成分に対する前記第１の色差成分の比率とのうちから前記第２の判別結果に応じて選択される比率を、前記第１の判別結果に応じて加算若しくは減算することによって、前記補正前入力画像の各画素の色相角を近似する簡易色相角を算出する簡易色相角算出部と、
前記簡易彩度および前記簡易色相角に基づき、色相補正量を記憶した彩度色相補正テーブルを参照することにより、前記第１の色差信号成分および前記第２の色差信号成分のおのおのについて、該色相補正量を取得する色相補正量取得部と、
前記第１の色差信号成分および前記第２の色差信号成分のおのおのに対する前記色相補正量に基づいて、前記第１の色差信号成分および前記第２の色差信号成分の出力値を算出する、色相補正演算部と、
前記第１の色差信号成分および前記第２の色差信号成分の出力値から補正後出力画像の各画素データを生成し、出力する補正後画像出力部と、
を備えることを特徴とする画像表示装置。
【請求項２】
前記色相補正量の前記第１の色差信号成分および前記第２の色差信号成分をそれぞれ補間して、補間色相補正量を算出して出力する色相補正量補間部をさらに備え、
前記色相補正演算部は前記色相補正量あるいは前記補間色相補正量に基づいて、前記第１の色差信号成分および前記第２の色差信号成分の出力値を算出する、
ことを特徴とする請求項１に記載の画像表示装置。
【請求項３】
前記色相補正演算部は、前記色相補正量あるいは前記補間色相補正量にそれぞれ前記簡易彩度を乗算した各結果を、それぞれ前記第１の色差信号成分および前記第２の色差信号成分の入力値に加算することにより、前記第１の色差信号成分および前記第２の色差信号成分の出力値を算出する、
ことを特徴とする請求項２に記載の画像表示装置。
【請求項４】
前記簡易彩度に対応する彩度補正量を算出する彩度補正量算出部と、
前記第１の色差信号成分および前記第２の色差信号成分の各々に、前記彩度補正量を乗算した各結果を、前記第１の色差信号成分および前記第２の色差信号成分に加算することにより、それぞれ前記補正後画像の画素データに対応する前記第１の色差信号成分および前記第２の色差信号成分の出力値を算出する彩度補正演算部を更に備える、
ことを特徴とする請求項１に記載の画像表示装置。
【請求項５】
前記彩度色相補正テーブルは、簡易彩度および簡易色相角の離散値毎に色相補正量あるいは彩度補正量を記憶し、前記簡易彩度および前記簡易色相角を入力し、前記色相補正量あるいは前記彩度補正量を出力する、
ことを特徴とする請求項４に記載の画像表示装置。
【請求項６】
前記彩度色相補正テーブルには、色相補正量の絶対値が記憶されており、
前記色相補正量取得部は、前記彩度色相補正テーブルから前記簡易彩度および前記簡易色相角に基づいて取得した色相補正量の絶対値に対して、前記第１の判別の結果に応じた正負のいずれかの符号を付すことによって、前記第１の色差信号成分および前記第２の色差信号成分のおのおのについての色相補正量を取得する、
ことを特徴とする請求項１に記載の画像表示装置。
【請求項７】
前記第１の色差信号成分および前記第２の色差信号成分は無彩色基準を用いることを特徴とする請求項１記載の画像表示装置。
【請求項８】
補正前入力画像の各画素データから第１の色差信号成分および第２の色差信号成分を算出する補正前画像入力部と、
前記第１の色差信号成分と前記第２の色差信号成分との各々を直交座標軸とする直交座標系上に無彩色を原点とし彩度を動径とし色相角を偏角とする極座標系を定義したときに、前記各画素の色相角が前記直交座標系における４つの象限のうちのいずれを示しているかを前記第１の色差信号成分と前記第２の色差信号成分との各々の符号に基づいて判別する第１の判別、及び、前記各画素の色相角が前記直交座標系における２つの座標軸のどちらに近い角度を表しているかを前記第１の色差信号成分と前記第２の色差信号成分との各々の絶対値の大小関係に基づいて判別する第２の判別を行い、前記第２の判別によって近い角度を表していると判別された座標軸について、前記第１の判別により判別された象限に応じて予め定義しておいた簡易色相角に対し、前記第１の色差信号成分に対する前記第２の色差成分の比率と前記第２の色差信号成分に対する前記第１の色差成分の比率とのうちから前記第２の判別結果に応じて選択される比率を、前記第１の判別結果に応じて加算若しくは減算することによって、前記補正前入力画像の各画素の色相角を近似する簡易色相角を算出する簡易色相角算出部と、
前記簡易彩度および前記簡易色相角に基づき、色相補正量を記憶した彩度色相補正テーブルを参照することにより、前記第１の色差信号成分および前記第２の色差信号成分のおのおのについて、該色相補正量を取得する色相補正量取得部と、
前記第１の色差信号成分および前記第２の色差信号成分のおのおのに対する前記色相補正量に基づいて、前記第１の色差信号成分および前記第２の色差信号成分の出力値を算出する、色相補正演算部と、
前記第１の色差信号成分および前記第２の色差信号成分の出力値から補正後出力画像の各画素データを生成し、出力する補正後画像出力部と、
を備えることを特徴とする画像処理装置。
【請求項９】
コンピュータにより、
補正前入力画像の各画素データから第１の色差信号成分および第２の色差信号成分を算出し、
前記第１の色差信号成分と前記第２の色差信号成分との各々を直交座標軸とする直交座標系上に無彩色を原点とし彩度を動径とし色相角を偏角とする極座標系を定義したときに、前記各画素の色相角が前記直交座標系における４つの象限のうちのいずれを示しているかを前記第１の色差信号成分と前記第２の色差信号成分との各々の符号に基づいて判別する第１の判別、及び、前記各画素の色相角が前記直交座標系における２つの座標軸のどちらに近い角度を表しているかを前記第１の色差信号成分と前記第２の色差信号成分との各々の絶対値の大小関係に基づいて判別する第２の判別を行い、前記第２の判別によって近い角度を表していると判別された座標軸について、前記第１の判別により判別された象限に応じて予め定義しておいた簡易色相角に対し、前記第１の色差信号成分に対する前記第２の色差成分の比率と前記第２の色差信号成分に対する前記第１の色差成分の比率とのうちから前記第２の判別結果に応じて選択される比率を、前記第１の判別結果に応じて加算若しくは減算することによって、前記補正前入力画像の各画素の色相角を近似する簡易色相角を算出し、
前記簡易彩度および前記簡易色相角に基づき、色相補正量を記憶した彩度色相補正テーブルを参照することにより、前記第１の色差信号成分および前記第２の色差信号成分のおのおのについて、該色相補正量を取得し、
前記第１の色差信号成分および前記第２の色差信号成分のおのおのに対する前記色相補正量に基づいて、前記第１の色差信号成分および前記第２の色差信号成分の出力値を算出し、
前記第１の色差信号成分および前記第２の色差信号成分の出力値から補正後出力画像の各画素データを生成し、出力する、
ことを特徴とする画像表示方法。
【発明の詳細な説明】
【技術分野】
【０００１】
本発明は、画質補正を行なう画像表示装置およびその方法に関する。
【背景技術】
【０００２】
例えば外光の影響の大きい場所で画像表示装置を使用する場合、外光の映り込みにより、パネルに表示された画像が見え難くなるという問題がある。この原因は、映り込みにより表示画像のダイナミックレンジが狭まることにあり、外光の映り込みに伴い、照射前に比べて照射後の表示画像の色合いが低下して、くすんだ色になってしまうという課題があった。
【０００３】
この外光照射後の画質低下の改善を目的として、コントラスト増大による画質補正を利用する場合がある。しかし、コントラストの増大を図る一方で、補正前の色相に比べて補正後の色相が変化してしまい、元画像の画質を反映しないという問題が生じた。
【０００４】
従来技術として入力された画像信号の色空間から色相を判定する色相判定部と、画像信号の彩度データを算出する機能を有する画像処理装置において、色相ごとに彩度変化量を調整できる手段を有するものが知られている(例えば特許文献１）。
【先行技術文献】
【特許文献】
【０００５】
【特許文献１】特開２００３−２７４２１０号公報
【特許文献２】特開２００５−２０４１３６号公報
【特許文献３】特開２００７−２２８２４０号公報
【発明の概要】
【発明が解決しようとする課題】
【０００６】
従来は色相調整をしようとすると計算量が大きくなるという問題があった。特に近年画素数の増大にともなって、一画素あたりの処理時間の短縮化の要請がある。
【０００７】
そこで、本発明の課題は、外光照射で色相が変化した場合などにおいて色相調整を少ない計算量で実行可能とすることである。
【課題を解決するための手段】
【０００８】
態様の一例では、補正前入力画像の各画素データから色差信号成分を算出する補正前画像入力部と、前記補正前入力画像の各画素の前記第１の色差信号成分および前記第２の色差信号成分のうち、絶対値の大きい方の値として、前記補正前入力画像の各画素の彩度を近似する簡易彩度を算出する簡易彩度算出部と、前記第１の色差信号成分と前記第２の色差信号成分との各々を直交座標軸とする直交座標系上に無彩色を原点とし彩度を動径とし色相角を偏角とする極座標系を定義したときに、前記各画素の色相角が前記直交座標系における４つの象限のうちのいずれを示しているかを前記第１の色差信号成分と前記第２の色差信号成分との各々の符号に基づいて判別する第１の判別、及び、前記各画素の色相角が前記直交座標系における２つの座標軸のどちらに近い角度を表しているかを前記第１の色差信号成分と前記第２の色差信号成分との各々の絶対値の大小関係に基づいて判別する第２の判別を行い、前記第２の判別によって近い角度を表していると判別された座標軸について、前記第１の判別により判別された象限に応じて予め定義しておいた簡易色相角に対し、前記第１の色差信号成分に対する前記第２の色差成分の比率と前記第２の色差信号成分に対する前記第１の色差成分の比率とのうちから前記第２の判別結果に応じて選択される比率を、前記第１の判別結果に応じて加算若しくは減算することによって、前記補正前入力画像の各画素の色相角を近似する簡易色相角を算出する簡易色相角算出部と、前記簡易彩度および前記簡易色相角に基づき、色相補正量を記憶した彩度色相補正テーブルを参照することにより、前記第１の色差信号成分および前記第２の色差信号成分のおのおのについて、該色相補正量を取得する色相補正量取得部と、前記第１の色差信号成分および前記第２の色差信号成分のおのおのに対する前記色相補正量に基づいて、前記第１の色差信号成分および前記第２の色差信号成分の出力値を算出する、色相補正演算部と、前記第１の色差信号成分および前記第２の色差信号成分の出力値から補正後出力画像の各画素データを生成し、出力する補正後画像出力部とを備えることを特徴とする画像表示装置を提供する。
【発明の効果】
【０００９】
外光照射等に対して色相調整を少ない計算量で行なう画像表示装置および方法を提供することが可能となる。
【図面の簡単な説明】
【００１０】
【図１】コントラスト増大による画質補正の説明図である。
【図２】Ｕ、Ｖガンマの１次元ＬＵＴを使った彩度補正による彩度改善手法の説明図である。
【図３】ＵＶ平面の２次元ＬＵＴを使った彩度補正による彩度改善手法の説明図である。
【図４】ｒθ極座標平面の２次元ＬＵＴを使った彩度補正による彩度改善手法の説明図である。
【図５】画像表示装置の実施形態の機能ブロック図である。
【図６】彩度の簡易算出手法の説明図である。
【図７】実施形態において採用する簡易色相角の座標系の説明図である。
【図８】簡易色相角の算出手法の説明図である。
【図９】彩度補正部５０４の動作概略の説明図である。
【図１０】色相補正部５０５の動作概略の説明図（その１）である。
【図１１】色相補正部５０５の動作概略の説明図（その２）である。
【図１２】色相補正部５０５の動作概略の説明図（その３）である。
【図１３】補正前画像入力部５０１の制御動作を示すフローチャートである。
【図１４】簡易彩度算出部５０２の制御動作を示すフローチャートである。
【図１５】簡易色相角算出部５０３の制御動作を示すフローチャートである。
【図１６】彩度補正部５０４の制御動作を示すフローチャートである。
【図１７】色相補正部５０５の制御動作を示すフローチャートである。
【図１８】彩度色相補正テーブル５０７の具体例を示す図である。
【図１９】補正後画像出力部５０８の制御動作を示すフローチャートである。
【図２０】実施形態の装置を実現できるコンピュータのハードウェア構成の一例を示す図である。
【発明を実施するための形態】
【００１１】
以下、本発明を実施するための形態について図面を参照しながら詳細に説明する。
以下の説明では、まず、通常考えられる彩度色相補正の技術とそれらの問題点および本実施形態との関係について説明をする。その後に、本実施形態の構成および動作について説明をする。
【００１２】
図１は、コントラスト増大による画質補正の説明図である。図１（ａ）に示される補正前（元）画像に対して外光が照射された結果、図１（ｂ）に示されるように、画像の彩度が悪化する。この画像に対して、従来技術によりコントラストを増大させる手法により補正を行うと、図１（ｃ）に示されるように、画像の色相が変化してしまう。
【００１３】
そこで、ＵＶガンマの１次元ＬＵＴを使った彩度補正による彩度改善手法が考えられる。図２は、その説明図である。ＲＧＢ色空間をＹＵＶ（またはＹＣbＣr）色空間に変換したときの、ＵＶ色差信号成分（またはＣb、Ｃr色成分、以下同様）は、彩度に関連する色成分である。より具体的には、彩度ｒは、次の（１）式のように、ＵとＶの２乗和の平方根で表現される。
【００１４】
彩度ｒ＝（Ｕ2 ＋Ｖ2 ）1/2   ・・・（１）
【００１５】
外光照射による彩度補正を行う場合、例えば、地味目の色は彩度をあまり変えず、濃いめの色は大きく変えたいという要望がある。そこで、彩度に関連するＵ、Ｖ成分のうちの何れか一方または両方が、所望の補正用ＵＶガンマ曲線特性を使って変換される。ＵＶガンマ曲線特性は、入力値に対して補正後の出力値を出力する１次元ＬＵＴ（ルックアップテーブル）を使って作られる。図２は、同じ１つの補正用ＵＶガンマ曲線特性によって、Ｕ、Ｖ成分の両方の各値が補正される例が示されているが、彩度により大きな影響を及ぼす一方の成分のみが補正されてもよい。このようにして、Ｕ、Ｖ成分の何れか一方または両方が補正されることにより、結果的に、（１）式で表現される彩度ｒが強調されることになり、画像のコントラストが向上する。
【００１６】
しかしながら、上述のＵＶガンマの１次元ＬＵＴを使った手法では、例えば、Ｕ、Ｖのうちの一方のみの色成分について彩度強調量の調整が行われる結果、Ｕ、Ｖの比率が、補正前と補正後とでずれてしまう。あるいは、図２に示されるように、Ｕ、Ｖの両方の色成分について彩度強調量の調整が行われる場合も、Ｕ、Ｖの各値に対応する補正用ＵＶガンマ曲線特性は一般に異なるため、この場合も、Ｕ、Ｖの比率が、補正前と補正後とでずれてしまう。例えば図２の例では、１組のＵ、Ｖ値に対して、補正ＵＶガンマ曲線特性により、Ｕ成分の値Ｕは同じＵに、Ｖ成分の値Ｖは２Ｖに変換されるとすれば、ＵとＶの値の比率は、補正前がＵ：Ｖ、補正後がＵ：２Ｖとなって、大きくずれることになる。図２の例から離れて具体的な数値例で説明すれば、例えば補正前のＵ、Ｖ値が（２，１０）であったとする。この場合のＵとＶの比率は１：５となっている。これに対して、補正用ＵＶガンマ曲線特性により、Ｕ値が２から２へ（そのまま）に、Ｖ値が１０から１８へというような補正がなされたとする。一般に、値が低い領域は、無彩色に近くなるため、あまり値を変更しないような補正がなされる場合が多い。このような補正がなされた場合には、補正後のＵとＶの比率は１：９に変化してしまう。理想的には、例えばＵ、Ｖ値２，１０→４，２０というように、Ｕ、Ｖの比率を変化させない補正が望ましいが、１次元ＬＵＴを用いた場合、実際にはそうすることは難しい。このように、ＵとＶの比率がずれる結果、彩度の補正前と補正後とで色相、すなわち色合いが変化してしまい、画像表示上好ましくない。
【００１７】
このような状態をなくすために、次のような演算を行うことが考えられる。まず、入力されたＵ、Ｖ値の比率をＡ、すなわち、次の（２）式とする。
【００１８】
Ａ＝Ｕ／Ｖ  ・・・（２）
【００１９】
このときに、まず、入力されたＵ、Ｖ値を使って、前述した（１）式により彩度ｒを計算する。次に、入力彩度値に対して補正された彩度値を出力するための１次元ＬＵＴによる補正用彩度ガンマ曲線特性を使って、彩度値を補正する。そして、この補正後の彩度値と、入力されたＵ、Ｖの値から計算される比率Ａを使って、前述した（１）式と（２）式の連立方程式を解くことにより、補正後のＵ、Ｖの値が算出される。具体的な数値例で説明すれば、例えば補正前のＵ、Ｖ値が先ほどの例と同じ２，１０であったとする。この場合（２）式はＵ／Ｖ＝２／１０＝１／５となっている。また（１）式により、彩度ｒ＝（Ｕ2 ＋Ｖ2 ）1/2 ＝（２2 ＋１０2 ）1/2≒１０．２となる。これに対して、補正用彩度ガンマ曲線特性により、彩度ｒが１０．２から１９に強調補正されたとする。この結果、この彩度値を（１）式に代入することにより、（２）式と合わせて、下記の連立方程式が解かれる。
【００２０】
１９＝（Ｕ2 ＋Ｖ2 ）1/2 
Ｖ＝５Ｕ
これより、
１９＝（Ｕ2 ＋２５Ｕ2 ）1/2
従って、
Ｕ≒３．７３
Ｖ＝５Ｕ≒１８．６５
と求まる。このようにして、彩度を適切に補正しながら、Ｕ、Ｖ値の比率を補正前と同じに維持して色相が変化しないように調整することができる。
【００２１】
しかしながら、このような手法だと、１秒間に数十回のリフレッシュレートで画像表示装置上の膨大な画素数（数十万画素から数百万画素）の各画素について、上述の演算を行う必要があり、大きな演算コストがかかってしまう。
【００２２】
そこで、Ｕ、Ｖ平面の２次元ＬＵＴを使った彩度補正による彩度改善手法が考えられる。図３はその説明図である。この手法では、Ｕ、Ｖの各成分が彩度だけではなく色相も決定する成分であることに着目し、ＵＶ平面上の離散的なポイントにおいて補正量を保持する。これは、入力される（Ｕ、Ｖ値）の各値組毎に補正量を保持する２次元ＬＵＴを使って実装される。そして、入力されたＵ、Ｖ成分のポイントに対応する補正量がＬＵＴから読み出され、補正されたＵ、Ｖ成分が出力される。Ｕ、Ｖ成分に対応するポイントが離散ポイント間に存在するときの補正量は、そのポイントの周囲の離散ポイントの補正量からの補間演算により算出する。
【００２３】
このＵＶ平面の２次元のＬＵＴを使った手法において、図３に例示されるように、離散ポイントは、ＵＶの格子状となる。従って、図３に示されるように、図３に示される彩度が高い領域では、入力されたＵ、Ｖ値がわずかに変更になった程度ではその値組の近傍の離散ポイントを参照することができ、それに基づいて精度の高い補正を行うことができる。しかし、図３に示される彩度が低い領域では、入力されたＵ、Ｖ値がわずかに変更になっただけでも参照される離散ポイントにおけるＵとＶの位相関係が大きく変化してしまう。ＵとＶの位相関係は色相を決定するため、図３に示される彩度が低い領域では、Ｕ、Ｖ値の変化に対する色相の変化が大きく、色相観点で離散ポイントが粗くなってしまい、補正後に画像の色合いが変わってしまうという問題が生じる。
【００２４】
そこで、次のようなさらなる改善手法が考えられる。この手法では、入力された信号により表示される色を調整する表示装置を備える。そして、入力信号の値のうちのＵ，Ｖ成分を極座標変換する手段と、極座標空間の角度を用いて色を特定し、特定した色に明度の調整を行う明度調整手段と、特定した色に彩度の調整を行う彩度調整手段と、特定した色に色相の調整を行う色相調整手段とを有する。これにより、明度、彩度及び色相の調整をそれぞれ独立して行う。図４はその説明図である。
【００２５】
今、明度は、入力信号のＹin値として表される。また、彩度ｒは、Ｕ、Ｖ成分から、前述した（１）式と同様の次の（３）式により算出される。
【００２６】
彩度ｒ＝（Ｕ2 ＋Ｖ2 ）1/2   ・・・（３） 
また、色相角θは、Ｕ、Ｖ成分に対して、次の（４）式の関係を有する。
ｔａｎθ＝（Ｖ／Ｕ）  ・・・（４） 
従って、色相角θは、Ｕ、Ｖ成分から、次の（５）式により算出される。 
θ＝ｔａｎ-1（Ｖ／Ｕ）  ・・・（５）
【００２７】
（３）式および（４）式の関係より、Ｕ、Ｖ成分と、彩度ｒおよび色相角θとの関係は、図４（ａ）のようになる。すなわち、無彩色基準点を原点とするＵＶ平面上において、原点から入力されたＵ、Ｖ成分によって決まるポイントまでの線分を引いたときに、その線分長さが彩度ｒとなり、その線分とＵ軸とのなす角度が色相角θとなる。図４（ａ）より、彩度ｒと色相角θは、極座標系を構成することがわかる。
【００２８】
そこで、さらなる改善手法では、ｒθ極座標平面上の離散的なポイントにおいて補正量を保持する。そして、入力されたＵ、Ｖ成分のポイントから、まず、彩度ｒと色相角θが前述の（３）式および（５）式により算出される。そして、算出された彩度ｒと色相角θのポイントに対応する彩度と色相角と明度の補正量がＬＵＴから読み出され、補正された彩度と色相角と明度が算出される。そして、前述の（３）および（４）式により、その補正された彩度と色相角に基づいて、補正されたＵ、Ｖ成分、およびこれに加えて補正された明度成分Ｙが算出されて出力される。
【００２９】
このｒθ平面の２次元のＬＵＴを使った手法において、図４（ｂ）に例示されるように、離散ポイントは、ｒθの格子状となる。従って、図４（ｂ）に示されるように、彩度補正において彩度を所定倍数倍しようとしたときに、彩度が高い領域でも低い領域でも、十分な数の離散ポイントから補正量を算出でき、補正後に画質は劣化しない。
【００３０】
しかしながら、ＬＵＴをｒθによる極座標系とする手法では、色相角θの算出に前述した（５）式の三角関数の計算が必要であり、彩度ｒの算出には前述した（３）式の二乗和と平方根の計算が必要となる。また、ＬＵＴから読み出された彩度と色相角の補正量に基づいて補正された彩度と色相角を算出する処理も、同様の計算が必要となる。このため、１秒間に数十回のリフレッシュレートで画像表示装置上の膨大な画素数（数十万画素から数百万画素）の各画素について、上述の演算を行う必要があり、大きな演算コストがかかってしまうという問題が生じる。
【００３１】
これを解決する技術として、次のような技術が考えられる。すなわち、入力されたＲＧＢ画像信号を変換したＹＵＶ信号において、彩度値を、Ｕ成分とＶ成分の２乗和あるいは簡易的にＵおよびＶの絶対値の和として算出する。また、色相値を、入力されたＲＧＢ画像信号を変換した２次元の色差信号Ｘ、Ｙに基づいて、Ｘ、Ｙ平面を８分割した各区域ごとのＹ／Ｘの演算により色相角を簡易的に求める。このようにして求めた彩度値と色相角に基づいて、ＬＵＴを参照することにより、彩度変換係数を参照する。そして、補間演算により最終的な彩度変換係数を決定した後、その彩度変換係数を、入力されたＲＧＢ画像信号を変換したＹＵＶ信号のＵ成分とＶ成分に乗算することにより、彩度調整を行う。
【００３２】
この技術では、入力されたＲＧＢ画像信号を変換したＹＵＶ信号から色相情報と彩度データを求める演算を、上述したような簡易演算で実行することにより、演算コストを削減することが可能になる。
【００３３】
しかし、この技術では、色相情報と彩度データの算出に簡易演算を採用した結果、彩度調整を行っただけでは、元の画像信号の色相が変化してしまい画質が低下してしまう場合がある。
【００３４】
また、外光照射においては、外光の性質によって、特定の色相のみ特性が変化するような場合もあり、その場合には、彩度調整だけでなく色相調整も必要になる。しかし、上述の技術では、色相調整に対応することはできない。
【００３５】
入力された色相情報と彩度データに基づいて色相調整用のＬＵＴを用いて色相調整を行うことも考えられるが、色相調整は、色相調整後の色相角に基づいて前述した（４）式のような三角関数を計算する必要がある。このため、演算コストを削減できる色相調整技術は、知られていなかった。
【００３６】
以下に、本実施形態の構成および動作について、詳細に説明する。
図５は、画像処理装置たとえば画像表示装置の実施形態の構成図である。
【００３７】
補正前画像入力部５０１は、画像表示デバイスに表示されるべき補正前入力ＲＧＢ画像の各画素データを入力し、補正前画像入力部５０１からの補正前入力ＲＧＢ画像の各画素データを補正前入力ＹＵＶ信号成分に変換する。
【００３８】
簡易彩度算出部５０２は、補正前画像入力部５０１が算出した補正前入力ＹＵＶ信号成分のＵ色差信号成分（青）およびＶ色差信号成分（赤）のうち、無彩色基準の絶対値の大きい方の値として、簡易彩度を算出する。この簡易彩度は、補正前入力ＹＵＶ信号成分の彩度を近似するものである。
【００３９】
簡易色相角算出部５０３は、補正前画像入力部５０１が算出した補正前入力ＹＵＶ信号成分のＵ、Ｖ成分の各々の無彩色基準の絶対値の比率および大小関係と各々の符号に基づいて、簡易色相角を算出する。この簡易色相角は、補正前入力ＹＵＶ信号成分の色相角を近似するものである。
【００４０】
彩度補正部５０４は、簡易彩度算出部５０２および簡易色相角算出部５０３がそれぞれ算出した補正前入力ＹＵＶ信号成分の簡易彩度および簡易色相角に基づいて、補正前入力ＹＵＶ信号成分の彩度の補正を行う彩度補正量を算出する。より具体的には、彩度補正部５０４は、簡易彩度および簡易色相角の離散値の組に対して彩度補正量を記憶する彩度色相補正テーブル５０６を有する。彩度補正部５０４は、補正前入力ＹＵＶ信号成分の簡易彩度および簡易色相角の値の組を入力として、彩度色相補正テーブル５０６上の複数の彩度補正量からの補間演算により、補正前入力ＹＵＶ信号成分の彩度補正量を算出する。
【００４１】
色相補正部５０５は、色相補正量算出部５１０と色相補正演算部５１１とを有する。
色相補正量算出部５１０は、彩度入力値および色相角入力値として、簡易彩度算出部５０２および簡易色相角算出部５０３がそれぞれ算出した簡易彩度および簡易色相角を入力する。そして、簡易彩度および簡易色相角の各入力値に対応しＵ、Ｖ成分（第１および第２の色差信号成分）毎に独立にＵ値色相補正量およびＶ値色相補正量（第１および第２の色相補正量）を算出する。
【００４２】
この色相補正量算出部５１０は、色相補正量取得部５２０と色相補正量ＵＶ成分取得部５２１と色相補正量補間部５２２とを有する。
【００４３】
色相補正量取得部５２０は、Ｕ、Ｖ成分の入力値から算出した簡易彩度および簡易色相角を入力する。そして、簡易彩度および簡易色相角の各離散値毎に、色相補正量を記憶した彩度色相補正テーブル５０７を参照する。この結果、複数の色相補正量の離散値を取得する。
【００４４】
色相補正量ＵＶ成分取得部５２１は、各色相補正量の離散値を、色相角入力値である簡易色相角に基づき、Ｕ値色相補正量およびＶ値色相補正量の離散値に分解する。
【００４５】
色相補正量補間部５２２は、Ｕ値色相補正量およびＶ値色相補正量の離散値をそれぞれ補間して、補間されたＵ値色相補正量およびＶ値色相補正量を算出して出力する。
【００４６】
色相補正演算部５１１は、色相補正量算出部５１０が出力するＵ値色相補正量およびＶ値色相補正量に基づいて、彩度補正部５０４から出力されるＵ、Ｖ成分の入力値を補正することにより、補正後画像の画素データに対応するＵ、Ｖ成分の出力値を算出する。より具体的には、Ｕ値色相補正量およびＶ値色相補正量に、簡易彩度算出部により算出した簡易彩度を乗算した各結果を、それぞれＵ，Ｖ成分の入力値に加算することにより、Ｕ、Ｖ成分の出力値を算出する。
【００４７】
補正後画像出力部５０８は、色相補正部５０５から出力される補正後のＵ、Ｖ成分と補正前のＹ成分とを、出力ＲＧＢ画像の各画素データに変換し、画像表示デバイスに出力する。
【００４８】
以上の構成を有する画像表示装置の実施形態の動作について、まず説明する。
前述したように、本実施形態は、補正前入力ＹＵＶ信号成分のうちのＵ、Ｖ成分から、簡易彩度と簡易色相角を簡易な演算方法で近似計算し、ＬＵＴをこの簡易彩度と簡易色相角による行列とするものである。
【００４９】
そこでまず、彩度の簡易演算手法について説明する。
通常は、Ｕ、Ｖ成分から彩度ｒを算出するためには、前述した（１）式を計算する必要がある。これに対して、本実施形態では、Ｕ、Ｖの各成分を無彩色基準にて｜Ｕ｜、｜Ｖ｜として絶対値化した後、この｜Ｕ｜、｜Ｖ｜のうち大きい方の色度を彩度として決定する。以下、このようにして決定された彩度を、簡易彩度と呼ぶ。図６（a）において簡易彩度値を８とする。この場合第１象限において０≦Ｖ≦８のときＵ＝8である。これはＵＶ座標（８，０）を通ってＵ軸に垂直な直線である。０≦Ｕ≦８のときＶ＝８となる。これはＵＶ座標（０，８）を通ってＶ軸に直線となる。
【００５０】
ここで、無彩色基準とは、例えば補正前入力ＹＵＶ信号成分の各データ値が０〜２５５までの２５６階調として表現されている場合、中心値の１２８が無彩色基準値０となるような基準をいう。
【００５１】
通常、ＬＵＴを彩度ｒと色相角θによる極座標系とした場合、図４（ａ）に示したように、ＵＶ平面上で彩度ｒは、無彩色基準値を原点として放射状に伸びる線分の半径に対応する。従って、彩度ｒの複数の離散値について、同じ彩度ｒを有するＵ、Ｖの入力値の分布は、図６（ｂ）に示されるように、同心円状の分布となる。これに対して、本実施形態において、上述の簡易彩度を採用した場合、簡易彩度の複数の離散値について、同じ簡易彩度を有するＵ、Ｖの入力値の分布は、図６（ａ）に示されるように、同心の正方形分布となる。図６（a）の同心正方形は図６（b）の同心円の近似となる。
【００５２】
このように分布する簡易彩度を使ってＬＵＴ上で離散ポイントを作成することにより、本来の彩度分布とほぼ同じ傾向をもった彩度補正を行うことが可能となる。しかも、簡易彩度の演算は、Ｕ、Ｖ成分の絶対値化と各成分の大小判定だけで済むため、非常に簡単に行うことが可能となる。
【００５３】
次に、色相角の簡易演算手法について説明する。
本実施形態における色相角の演算においては、ＹＵＶ座標系を利用した、図７に示されるような、離散型の彩度色相補正制御手法（チャート）を利用する。
【００５４】
図７において、チャートの角度が各色相角に対応する。Ｕ軸（０）は青色の色差、Ｖ軸（２）は赤色の色差を示す。図７の例では、色相角は、０から７までの８分割された値を有する。この分割数は、８分割に限られるものではなく、１６分割またはもっと少なくても、多くても良い。
【００５５】
図７において、Ｉ、II、III、IVはそれぞれ、各色相角における象限、すなわち、第１象限、第２象限、第３象限、第４象限を示す。この象限は、色相角の判定で使用する。
【００５６】
最初に、図７の第１象限（Ｉ）の位置にあるＵＶ座標の色相角を求める方法について示す。
色相角を簡易に算出するために、図８（ａ）に示されるような四角のＵＶ座標系を使用する。すなわち、ＵＶ座標の無彩色原点を中心とする正方形の辺と原点からの放射直線との各交点を簡易色相角の値に対応させ０、±π/４、±π/２、±π３/４に対応する簡易色相角の値を列の等間隔彩度値に行が対応するテーブルの各要素の補正値を補間し、適切な彩度色相値を小演算量で求める。いま、例えば第１象限（Ｉ）において、Ｕ軸とＶ軸を含む適当な正方形の四角形の領域を考える。ここでまず、Ｕ軸の正方向を簡易色相角０と定義する。次に、原点からＵ軸の正方向と４５°の角度をなす線分８０１を考え、この線分がＵ軸の正方向となす簡易色相角を、ｔａｎ４５°と同じ値１と定義する。さらに、Ｖ軸の正方向がＵ軸の正方向となす簡易色相角を２と定義する。同様にして、図７に示されるように、４５°おきの方向の簡易色相角を３，４，５，６，７と定義する。
【００５７】
ここで、図８（ａ）に示されるように、例えば第１象限（Ｉ）において、Ｕ軸とＶ軸を含む適当な正方形において、Ｕ軸、Ｖ軸以外の２辺をそれぞれ例えば１０等分する（図８中の「●」で示される位置）。そして、Ｕ軸と４５°線分８０１との間を１０等分した各等分点と原点とを結ぶ線分がＵ軸の正方向となす簡易色相角を、４５°線分８０１の簡易色相角１を１０で割った値０．１，０．２，・・・，０．８，０．９と定義する。また、４５°線分８０１とＶ軸を１０等分した各等分点と原点とを結ぶ線分がＵ軸の正方向となす簡易色相角を、Ｖ軸の簡易色相角２と４５°線分８０１の簡易色相角１の間を１０等分した値１．１，１．２，・・・，１．８，１．９と定義する。このような定義によれば、Ｕ軸と４５°線分８０１との間を１０等分した各等分点と原点とを結ぶ線分の簡易色相角は、Ｕ、Ｖ成分の各絶対値の比｜Ｖ｜／｜Ｕ｜として算出できる。例えば、角度４５°を２等分したときの角度２２．５°のｔａｎ値（ｔａｎ２２．５）は０．４１４となる。Ｕ軸と４５°方向の線分８０１をちょうど２分する位置８０２の等分点と原点とを結ぶ線分の簡易色相角は、｜Ｖa ｜／｜Ｕa ｜＝０．５と計算できる。よって簡易色相角を｜Ｖa ｜／｜Ｕa ｜＝０．５とあらわすことはｔａｎ値＝ｔａｎ２２．５＝０．４１４に十分に近似できる。これによって実際の角度２２．５°を簡易色相角すなわち線分比０．５によって近似できる。この線分比０．５に対応する角度は２２．５°に近い。さらに、４５°線分８０１とＶ軸を１０等分した各等分点と原点とを結ぶ線分の簡易色相角は、Ｖ軸側から４５°線分８０１を見たときのＵ、Ｖ成分の各絶対値の比｜Ｕ｜／｜Ｖ｜とＶ軸の簡易色相角２を使って、２−｜Ｕ｜／｜Ｖ｜として算出できる。例えば、Ｖ軸と４５°方向の線分８０１とをちょうど２分する位置８０３の等分点と原点とを結ぶ線分の簡易色相角は、２−｜Ｕb ｜／｜Ｖb ｜＝２−０．５＝１．５と計算できる。等分点８０２と原点を通る線分がＵ軸となす簡易色相角は、正確には４５°の１／２の２２．５°にはならない。等分点８０３についても同様である。しかしながら、４５°線分８０１の簡易色相角を１、Ｖ軸の簡易色相角を２と定義した上で、等分点８０２の簡易色相角を０．５、等分点８０３の簡易色相角を１．５と定義することは、元々の角度を十分に近似する角度の近似方法になる。しかも、この簡易色相角の算出においては、前述の（５）式のような三角関数計算を行う必要はなく、簡単な比率計算に基づいて行うことができる。
【００５８】
以上の考察に基づいて、図８（ａ）に例示される第１象限においては、以下のアルゴリズムにより、簡易色相角を算出する。
（１）図の点線のように、色相角を四角形の線分上の比率として表わす。
（２）原点を無彩色基準の値とする。例えばＹＵＶ数値が２５６階調表示の
場合、Ｕ成分およびＶ成分のそれぞれの中心値の１２８が０となる。
（３）各座標を絶対値表示とする。
（４）Ｕ軸とＶ軸の中央の角度４５°（傾き１）を境に場合分けする
距離が近いほうの軸（Ｕ、Ｖ）を基準に色相角を導く（基準軸を求める）。
【００５９】
（ａ）４５°以下の場合（例えば図８（ａ）のＡの位置の場合）：
｜Ｕa ｜＞｜Ｖa ｜  である。
傾きは１以下であり、Ｕ軸に近い。Ａの簡易色相角算出の基になる
比率は、｜Ｖa ｜／｜Ｕa ｜  と求まる。  （分母は｜Ｕa ｜）
第１象限のＵ軸上（正方向）の数値は０である。
よってＡの簡易色相角は、
０＋（｜Ｖa ｜／｜Ｕa ｜）＝｜Ｖa ｜／｜Ｕa ｜  と求まる。
（ｂ）４５°より大きい場合（例えば図８（ａ）のＢの位置のな場合）：
｜Ｖb ｜＞｜Ｕb ｜  である。
Ｂは、距離がＵ軸よりもＶ軸に近い。よってＶ軸を基準にする。
Ｂの簡易色相角算出の基になる比率は、
｜Ｕb ｜／｜Ｖb ｜  と求まる。  （分母は｜Ｖb ｜）
第１象限のＶ軸上（正方向）の数値は２である。
よってＢの簡易色相角は、
Ｖ軸（正方向）の値２から｜Ｕb ｜／｜Ｖb ｜を引いた値：
２−（｜Ｕb ｜／｜Ｖb ｜）  と求まる。
【００６０】
次に、図７の第１象限（Ｉ）以外の位置にあるＵＶ座標の色相角を求める方法の例を示す。図８（ｂ）に示されるような第２象限（II）の座標Ｃの位置の色相角を求める方法例について説明する。
【００６１】
（１）原点を無彩色基準の値とする。
（２）各座標を絶対値表示とする。
（３）Ｕ軸とＶ軸の中央の角度４５°（傾き１）を境に場合分けする。
第２象限ではＶ軸（正方向）を基準０°とし、左回りに正方向角度とする。
−最初に図８（ｂ）のＣの位置がＵ軸に近いか、Ｖ軸に近いかを把握する。
・その結果、Ｃの位置は、Ｖ軸（正方向）から見て４５°より大きく、Ｕ軸
（負方向）に近い値となっている。そこで、Ｕ軸を基準に色相角を求める。
（４）｜Ｕc ｜と｜Ｖc ｜の大小関係を求める。図８（ｂ）のＣでは、
｜Ｕc ｜＞｜Ｖc ｜  である。
（５）図８（ｂ）のＣの簡易色相角算出の基になる比率を求める。
（３）からＵ軸が基準であるから、
｜Ｖc ｜／｜Ｕc ｜  と求まる。  （分母は｜Ｕc ｜）
（６）図８（ｂ）のＣの簡易色相角を求める
第２象限では、Ｖ軸上（正方向）の数値は２、Ｕ軸上（負方向）の数値は
４である。座標ＣはＵ軸（負方向）が基準であるので、数値４を使う。
−よって、Ｃの簡易色相角は、
数値４から｜Ｖc ｜／｜Ｕc ｜を引いた値：
４−（｜Ｖc ｜／｜Ｕc ｜）  と求まる。
【００６２】
図７の第３象限（III）、第４象限（IV）の位置にあるＵＶ座標の色相角を求める方法も同様である。
【００６３】
以上のようにして、本実施形態では、Ｕ、Ｖ成分の無彩色基準の絶対値の比率および大小関係と各々の符号に基づく判定処理と、簡単な加減算および比率計算によって、簡易色相角を算出することができる。
【００６４】
この簡易色相角は、図８（ａ）および（ｂ）に示されるように、図７のように分類された色相角上で対応する位置の補間値になるように演算され、Ｕ、Ｖ成分が本来持つ色相角に良く対応している。
【００６５】
従って、このようにして演算される簡易色相角は、本来の色相角を良く代替する情報となり得る。
【００６６】
以上のようにして、図５の簡易彩度算出部５０２および簡易色相角算出部５０３で算出される簡易彩度および簡易色相角を用いた彩度補正部５０４および色相補正部５０５の動作概略について、以下に説明する。
【００６７】
まず、彩度補正部５０４が参照する彩度色相補正テーブル５０６は、図９（ａ）に示されるようなデータ構成を有する。簡易彩度として算出され得る０〜１２８の値のうち例えば１６値ごとの彩度離散値、および簡易色相角の整数部として算出され得る０〜７（８分割の場合、１６分割の場合は０〜１５）までの色相角の位置の離散値をインデックスとして、各彩度補正量が記憶される。すなわち、ａ１，ａ２，・・・，ａ７（彩度離散値０、色相角の位置の離散値０〜７に対して），ｂ１，ｂ２，・・・，ｂ７（彩度離散値１６、色相角の位置の離散値０〜７に対して）である。同様にして、ｈ１，ｈ２，・・・，ｈ７（彩度離散値１１２、色相角の位置の離散値０〜７に対して），ｉ１，ｉ２，・・・，ｉ７（彩度離散値１２８、色相角の位置の離散値０から７に対して）である。
【００６８】
簡易彩度および簡易色相角ともに、彩度色相補正テーブル５０６上のインデックスである彩度および色相角の位置の各離散値の中間の値をとり得る。そこで、彩度補正部５０４は、簡易彩度算出部５０２および簡易色相角算出部５０３にて算出された簡易彩度および簡易色相角ごとに、それらの値を挟み込む彩度色相補正テーブル５０６上の各インデックスの２つずつの離散値に対応する４つの彩度補正量を読み出す。すなわち、図９（ｂ）に示されるごとくである。そして、２つの彩度離散値と簡易彩度との補間演算および２つの色相角離散値と簡易色相角との補間演算により、入力された簡易彩度および簡易色相角に対応する、補間された彩度補正量を算出する。補間演算は、直線補間演算でもよいし、もっと簡便に所定のアルゴリズムで代表値を選択するような補間演算でもよい。例えば、図９（ｂ）に示される４つの離散ポイントの彩度補正量をそれぞれ例えばａ１，ａ２，ｂ１，ｂ２とし、それらの離散ポイントに対して、入力された簡易彩度および簡易色相角から計算される重みｗ１，ｗ２，ｗ３，ｗ４を設定する。この場合、補間された彩度補正量は、
（ｗ１×ａ１＋ｗ２×ａ２＋ｗ３×ｂ１＋ｗ４×ｂ２）
÷（ｗ１＋ｗ２＋ｗ３＋ｗ４）
として算出することができる。
【００６９】
なお、彩度色相補正テーブル５０６において、色相角の位置ごとに彩度補正量を持たせる必要がないときには、彩度の各離散値に対して、各色相角の位置ごとに同じ値の彩度補正量を記憶させればよい。あるいは、色相角の位置ごとの記憶領域は設ける必要がなく、彩度の各離散値に対して１つのみの彩度補正量を記憶させればよい。
【００７０】
以上のようにして算出される彩度補正量を用いた彩度補正部５０４での彩度補正処理の動作概略について、以下に説明する。
【００７１】
彩度補正量は、予め彩度補正テーブルに任意の値の数値を設定しておく。
この彩度補正テーブルを使って、任意の彩度における彩度補正量を補間演算によって
求める。（例えばテーブルにない彩度における彩度補正量を求める場合に補間演算を
行なう。）
【００７２】
彩度補正処理は、補正前入力ＹＵＶ信号成分のＵ信号成分およびＶ信号成分を元Ｕ値および元Ｖ値としたとき、彩度補正後の無彩色基準のＵ値およびＶ値は、次の（６）式および（７）式で計算することができる。
【００７３】
彩度補正後Ｕ値（無彩色基準）
＝元Ｕ値＋元Ｕ値×彩度補正量・・・（６）
彩度補正後Ｖ値（無彩色基準）
＝元Ｖ値＋元Ｖ値×彩度補正量・・・（７） 
上記（６）式と（７）式を合わせて、次の（９）式のように表現する。
彩度補正後ＵＶ値（無彩色基準）
＝元ＵＶ値＋元ＵＶ値×彩度補正量・・・（９）
【００７４】
以上のようにして、彩度補正部５０４は、補正前入力ＹＵＶ信号成分と彩度補正量とに基づいて彩度補正処理を実行し、彩度補正後ＵＶ値（無彩色基準）を出力する。
【００７５】
次に、図５の色相補正部５０５は、彩度色相補正テーブル５０７を参照し、補正対象の色相角を色相補正量が示す任意の簡易色相角だけずらすことにより、各画素の色相を制御する。
【００７６】
色相補正については図１０（ｃ）の色相補正チャートを使用する。このチャートを使って、Ｕ値とＶ値の各直交成分で別々に色相補正を行う。この色相補正の具体的手順を以下に説明する。
色相角の調整は、左回りに補正を行うと規定する（右回りでも良いがどちらか決めておく）。
【００７７】
ステップ１  最初に、左下の彩度色相補正テーブルの補正対象の色相角の位置に、任意の補正数値（角度）を挿入する。
【００７８】
ステップ２  補正前ＵＶ値から求めた彩度及び色相角に対して、彩度色相補正テーブルにより補間を行う。色相補正量Ｈ１（図１１（ａ）（ｂ））を求める。
【００７９】
ステップ３  ステップ２で求めた色相補正量Ｈ１を、図１１（ａ）（ｂ）に示すように、Ｕの色相補正、Ｖの色相補正の各定点（0,1,・・・,7)にそれぞれ割付ける。
【００８０】
−Ｕ軸、Ｖ軸の向きに対応してＨ１の符号を変える。例えばＵの色相補正の場合は、１，２、３の位置では負、５、６、７の位置では正の符号となる。また、Ｖの色相補正の
場合は、７、０、１の位置では正、３，４、５の位置では負の符号がつく。
−Ｕの色相補正では、Ｕ軸上（０，４）は色相補正量が０となる。
−Ｖの色相補正では、Ｖ軸上（２，６）は色相補正量が０となる。
【００８１】
ステップ４  ステップ３で求めた、0、１、・・・７の各定点におけるＵ色相補正量及びＶ色相補正量を用いて、補間演算により、「補正前ＵＶ値から求めた色相角」に対する各色相補正量を求める。
【００８２】
ステップ５  ステップ４により求めたＵ、Ｖの各色相補正量を、補正前のＵ、Ｖ値（無彩色基準）に対して、以下の式により付加して、色相補正後のＵＶ値を求める。
色相補正後Ｕ値＝  補正前Ｕ値+彩度×Ｕ色相補正量・・・1)
色相補正後Ｖ値＝  補正前Ｖ値+彩度×Ｖ色相補正量・・・2) 
−すなわち、色相補正後のＵ，Ｖ（無彩色基準）をそれぞれ独立に算出することができる。
ステップ６  無彩色基準Ｕ、Ｖ値を通常のＹＵＶ値に変換する。
【００８３】
以下、上記各ステップについて詳細に説明する。
この場合、色相角を、図１０（ａ）に示すように、左回り（反時計回り）に角度回転して色相をシフトさせる。
【００８４】
まず、ステップ１について説明する。
図１０（ｂ）のように、彩度色相補正テーブル５０７に、色相補正量として、シフト対象の簡易色相角を格納する。
【００８５】
次に、ステップ２およびステップ３について説明する。
図１０（ｂ）に示されるデータ構成を有する彩度色相補正テーブル５０７において、彩度色相補正テーブル５０６の場合と同様に、彩度のインデックス値は例えば１６値ごとの離散値、色相角の位置の離散値は０〜７（または０〜１５）の数値をとり得る。これらのインデックスで指定される記憶領域ごとに、各色相補正量が記憶される。すなわち、０，０，・・・，０，ａ７（彩度離散値０、色相角の位置の離散値０〜７に対して），０，０，・・・，０，ｂ７（彩度離散値１６、色相角の位置の離散値０〜７に対して）である。同様にして、０，・・・，ｈ７（彩度離散値１１２、色相角の位置の離散値０〜７に対して），０，０，・・・，０，ｉ７（彩度離散値１２８、色相角の位置の離散値０から７に対して）である。この例では、色相角の位置の離散値７に対してのみ色相補正量が有意な値を有し、その他に対しては全て０である。
【００８６】
このように、対象の色相角のみ角度を回転させて、他の色相角は変化させないようにすることで、図１０（ｃ）のように、対象の色相角のみ所望の色相角にずらすことができる。
【００８７】
なお、彩度色相補正テーブル５０７において、彩度の離散値ごとに色相補正量を持たせる必要がないときには、色相角の位置の各離散値に対して、各彩度ごとに同じ値の色相補正量を記憶させればよい。あるいは、彩度ごとの記憶領域は設ける必要がなく、色相角の位置の各離散値に対して１つのみの色相補正量を記憶させればよい。
【００８８】
本実施形態における色相補正処理において、図１０（ｃ）の彩度色相補正チャートに示されるように、例えばＵ軸またはＶ軸付近の簡易色相角の軸を基準軸であるＵ軸またはＶ軸、あるいは４５°の軸に近づけるような位相補正を行うことを考える。
【００８９】
まず、図１０（ｃ）中のＵ軸に近い破線で示される簡易色相角の軸をＵ軸に近づけるような簡易色相角α１の補正を行う場合において、簡易色相角の補正量α１をＵ成分の補正量とＶ成分の補正量に分解して考える。ここでα１は彩度色相補正テーブル上で色相角０の位置に格納されている。
【００９０】
この場合に、簡易色相角が０または４であるＵ軸付近においては、簡易色相角の軸を回転させたとき、Ｕ成分の色相補正量（以下これを「Ｕ値色相補正量」と呼ぶ）はあまり変化しない。これに対して、Ｖ成分の色相補正量（以下これを「Ｖ値色相補正量」と呼ぶ）は比較的大きく変化する。例えば、図１０（ｃ）の簡易色相角の補正量α１を考えたとき、色相補正量α１に対応するＵ成分であるＵ値色相補正量ｕ１は小さい値であるのに対して、色相補正量α１に対応するＶ成分であるＶ値色相補正量ｖ１は比較的大きい値となる。そして、ちょうどＵ軸上の簡易色相角での色相補正を考えたときには、或る色相補正量に対応するＵ値色相補正量は０となり、Ｖ値色相補正量の絶対値は成分分解前の色相補正量の絶対値に等しくなる。
【００９１】
一方、簡易色相角が２または６であるＶ軸付近においては、簡易色相角の軸を回転させたとき、Ｕ成分のＵ値色相補正量は比較的大きく変化し、これに対して、Ｖ成分のＶ値色相補正量はあまり変化しない。例えば、図１０（ｃ）の簡易色相角の補正量α２を考えたとき、色相補正量α２に対応するＵ成分であるＵ値色相補正量ｕ２は比較的大きい値であるのに対して、色相補正量α２に対応するＶ成分であるＶ値色相補正量ｖ２は小さい値となる。そして、ちょうどＶ軸上の簡易色相角での色相補正を考えたときには、或る色相補正量に対応するＵ値色相補正量の絶対値は成分分解前の色相補正量の絶対値に等しくなり、Ｖ値色相補正量は０となる。ここでα２は彩度色相補正テーブルの色相角２の位置に格納されている。
【００９２】
更に、簡易色相角が１、３、５，または７である４５°付近においては、簡易色相角の軸を回転させたとき、Ｕ成分のＵ値色相補正量とＶ成分のＶ値色相補正量はほぼ同じくらいの変化量となる。例えば、図１０（ｃ）の簡易色相角の補正量α３を考えたとき、色相補正量α３に対応するＵ成分であるＵ値色相補正量ｕ３とＶ成分であるＶ値色相補正量ｖ３はほぼ同じくらいの値となる。そして、ちょうど４５°基準軸上の簡易色相角での色相補正を考えたときには、或る色相補正量に対応するＵ値色相補正量の絶対値とＶ値色相補正量の絶対値は同じ値となり、（成分分解前の色相補正量の絶対値）／√２  となる。ここでα３は彩度色相補正テーブルの色相角５の位置に格納されている。
【００９３】
なお、Ｕ軸またはＶ軸とは異なる角度に基準軸を設ける場合には、事前に任意の角度βだけ、基準軸をずらして対応する基準軸角度シフト処理を実行すればよい。
【００９４】
以上の考察に基づき、図５の色相補正量取得部５２０は、補正前入力ＹＵＶ信号成分から算出される簡易彩度と簡易色相角で図１０（ｂ）に示される彩度色相補正テーブル５０７を参照し、簡易彩度と簡易色相角の各値の近傍の各離散値に対応する各色相補正量を読み出す。そして、図５の色相補正量ＵＶ成分取得部５２１は、読み出した各色相補正量を、その色相補正量が０から７までの簡易色相角のどの位置に対応するものであるかによって、色相補正量の絶対値をＵ値色相補正量の絶対値とＶ値色相補正量の絶対値に分解する。この処理は、上述したアルゴリズムに基づいて実行される。
このとき、Ｕ値色相補正量とＶ値色相補正量の各符号は、次のように付加する。
【００９５】
まず、図１０（ａ）に示したように、色相補正は、簡易色相角の軸をＵ軸を基準として左回り（反時計回り）に回転させるように行う。
【００９６】
この結果、図１１（ａ）に示されるように、色相補正量Ｈ１のＵ成分については、簡易色相角が第１象限（Ｉ）または第２象限（II）上にあるときは減少する方向（Ｈ１）に、簡易色相角が第３象限（III）または第４象限（IV）上にあるときは増加する方向（Ｈ１）に変化する。すなわち、Ｕ値色相補正量の符号としては、簡易色相角が第１象限（Ｉ）または第２象限（II）上にあるときは負符号が、簡易色相角が第３象限（III）または第４象限（IV）上にあるときは正符号が付加される。
【００９７】
一方、図１１（ｂ）に示されるように、色相補正量Ｈ１のＶ成分については、簡易色相角が第１象限（Ｉ）または第４象限（IV）上にあるときは増加する方向（Ｈ１）に、簡易色相角が第２象限（II）または第３象限（III）上にあるときは減少する方向（Ｈ１）に変化する。すなわち、Ｖ値色相補正量の符号としては、簡易色相角が第１象限（Ｉ）または第４象限（IV）上にあるときは正符号が、簡易色相角が第２象限（II）または第３象限（III）上にあるときは負符号が付加される。
【００９８】
以上のようにして、色相補正量ＵＶ成分取得部５２１は、補正前入力ＹＵＶ信号成分から算出される簡易彩度と簡易色相角の各値の近傍の各離散値に対応する各色相補正量ごとに独立に、Ｕ値色相補正量およびＶ値色相補正量を算出する。
【００９９】
次に、ステップ４について説明する。
そして、図５の色相補正量補間部５２２は、複数の離散値に対応する各Ｕ値色相補正量から、簡易彩度と簡易色相角の各値に基づいて補間演算により、補間されたＵ値色相補正量を算出する。同様に、色相補正量補間部５２２は、複数の離散値に対応する各Ｖ値色相補正量から、簡易彩度と簡易色相角の各値に基づいて補間演算により、補間されたＶ値色相補正量を算出する。
【０１００】
次に、ステップ５について説明する。
以上のようにして算出される補間されたＵ値色相補正量およびＶ値色相補正量を用いた図５の色相補正演算部５１１での色相補正処理の演算処理について、以下に説明する。
【０１０１】
いま例えば、図１２に示されるように、Ｕ軸上の２点Ｕ１、Ｕ２を、破線上の角度θだけ補正する場合を考える。このとき角度θが同じでも、Ｕ１、Ｕ２の大小に対応して、補正量Ｖ１、Ｖ２は異なる。Ｕ１から求めた値Ｖ１をそのままＶ２とすることはできない。なぜなら、角度（ＵとＶの比）が変ってしまうからである。すなわち、Ｕ１が４、Ｕ２が１６で、破線の傾きが１（４５°）の直線上に補正する場合、（Ｕ１、Ｖ１）は（４、４）、（Ｕ２、Ｖ２）は（１６、１６）となる。しかし、（Ｕ２、Ｖ１）のように、Ｕ１から求めた値Ｖ１を使って（１６、４）とすることはできない。それぞれの簡易彩度｜Ｕ１｜、｜Ｕ２｜に対応してＶ１、Ｖ２の値を決める必要がある。
【０１０２】
そこで、本実施形態では、色相補正後のＵ値およびＶ値は、次の（１０）式および（１１）式で計算される。
色相補正後Ｕ値＝補正前Ｕ値＋簡易彩度×Ｕ値色相補正量・・・（１０）
色相補正後Ｖ値＝補正前Ｖ値＋簡易彩度×Ｖ値色相補正量・・・（１１）
【０１０３】
上記（１０）式と（１１）式を合わせて、次の（１２）式のように表現する。
色相補正後ＵＶ値
＝補正前ＵＶ値＋簡易彩度×ＵＶ値色相補正量・・・（１２）
【０１０４】
ここで、補正前ＵＶ値（補正前Ｕ値と補正前Ｖ値）としては、（６）式および（７）式に基づいて彩度補正部５０４で補正された結果である彩度補正後Ｕ値と彩度補正後Ｖ値が入力される。
【０１０５】
以上のようにして、色相補正演算部５１１は、色相補正処理を実行する。
そしてステップ６に示すように無彩色基準Ｕ、Ｖ値を通常のＹＵＶ値に変換して完了する。
【０１０６】
この処理は後述する補正後画像出力部５０８によって実行される（図１９参照）。
なお、上述の説明では、彩度補正部５０４による彩度補正量の算出と彩度補正処理の後に、色相補正部５０５による色相補正量の算出と色相補正処理が実行されるが、それらの順番は逆であってもよい。あるいは、色相補正部５０５が単独に動作するようなシステムであってもよい。
【０１０７】
以上に説明した本実施形態の画像表示装置では、まず、Ｕ、Ｖ成分から彩度成分と色相角成分を簡易な手法で簡易彩度および簡易色相角として近似計算し、ＬＵＴをこの簡易彩度と簡易色相角による座標系とする。これにより、彩度と色相角をベースとする極座標系に準じた座標系でＬＵＴを構成することにより補正後の画質の劣化を防ぐと共に、Ｕ、Ｖ成分から彩度成分と色相角成分を簡易な手法で近似計算することにより、演算コストの増大を抑制することが可能となる。さらに、本実施形態では、簡易彩度と簡易色相角に基づいて彩度色相補正テーブルを参照して彩度調整を行うにとどまらず、簡易彩度と簡易色相角の両方または一方に基づいて彩度色相補正テーブルをも参照して色相調整を行う。この場合、色相調整は、入力されたＵ、Ｖ成分に対する簡単な比率計算と補間演算により実行することを可能とする。これにより、総合的に演算コストの低い彩度あるいは色相調整技術を提供することが可能となる。
【０１０８】
さらに本実施形態においては、本発明により求めた色相補正量は、わざわざ角度値に逆変換する必要はない。補正前のＵＶ値（無彩色基準）に直接付加することができるのでメモリや計算量の増大につながらなく効率的である。
【０１０９】
以上の動作概略で示される動作を実行する画像表示装置の実施形態の詳細動作について、以下に順次説明する。
【０１１０】
以下に説明する図１３から図１７、および図１９までのフローチャートは例えば、画像表示装置内の画像処理プロセッサが画像表示装置内のプログラムメモリに記憶された制御プログラムを実行する動作である。或いは、画像処理専用ハードウェアが実行する動作である。
【０１１１】
図１３は、図５の補正前画像入力部５０１の制御動作を示すフローチャートである。
補正前画像入力部５０１は、画像表示デバイスに表示されるべき補正前入力ＲＧＢ画像の各画素データを入力し、補正前画像入力部５０１からの補正前入力ＲＧＢ画像の各画素データを補正前入力ＹＵＶ信号成分に変換する（ステップＳ１３０１）。この変換は、補正前入力ＲＧＢ画像の画素データのＲＧＢ成分（Ｒ，Ｇ，Ｂ）に対して、次の（１３）式の演算を実行することにより、補正前入力ＹＵＶ信号のＹＵＶ成分（Ｙ，Ｕ，Ｖ）を算出する動作である。
【０１１２】
Ｙ＝０．２９９Ｒ＋０．５８７Ｇ＋０．１１４Ｂ
Ｕ＝−０．１６９Ｒ−０．３３１Ｇ＋０．５００Ｂ  ・・・（１３）
Ｖ＝０．５００Ｒ−０．４１９Ｇ−０．０８１Ｂ
例えば、Ｒ成分値＝１６０、Ｇ成分値＝１５２、Ｂ成分値＝９０の場合、
Ｙ＝０．２９９×１６０＋０．５８７×１５２＋０．１１４×９０
＝１４７．３
Ｕ＝−０．１６９×１６０−０．３３１×１５２＋０．５００×９０
＝９５．６５
Ｖ＝０．５００×１６０−０．４１９×１５２−０．０８１×９０
＝１３７．０
と算出される。
【０１１３】
次に、図１４は、図５の簡易彩度算出部５０２の制御動作を示すフローチャートである。
【０１１４】
まず、図５の補正前画像入力部５０１が算出した補正前入力ＹＵＶ信号成分のＵ色差信号成分（青）およびＶ色差信号成分（赤）の各成分が、無彩色基準にて数値化された上で、｜Ｕ｜、｜Ｖ｜として絶対値化される（ステップＳ１４０１）。すなわち、Ｕ、Ｖ成分の各データ値が０〜２５５までの２５６階調として表現されている場合、中心値の１２８が無彩色基準値０となるように変換された上で、絶対値化される。
【０１１５】
例えば、前述したように、図１３のフローチャートにより、Ｙ＝１４７．３、Ｕ＝９５．６５、Ｖ＝１３７．０と求まっている場合、Ｕ＝｜９５．６５−１２８｜＝３２．３５、Ｖ＝｜１３７−１２８｜＝９．０と算出される。
【０１１６】
そして、ステップＳ１４０１で算出された絶対値｜Ｕ｜、｜Ｖ｜のうち大きい方の色度が簡易彩度として決定され、出力される（ステップＳ１４０２）。上述の例では、｜Ｕ｜が選択されて、簡易彩度は３２．３５と決定される。
【０１１７】
図１５は、図５の簡易色相角算出部５０３の制御動作を示すフローチャートである。
まず、図５の補正前画像入力部５０１が算出した補正前入力ＹＵＶ信号成分のＵ色差信号成分（青）およびＶ色差信号成分（赤）の各成分の符号が判定されることにより、図７に示されるＵＶチャート上で座標値（Ｕ，Ｖ）がＩ，II，III，IVのどの象限に存在するかが判定される（ステップＳ１５０１）。
【０１１８】
次に、ステップＳ１５０１で算出されたＵ、Ｖの各成分が、無彩色基準に数値化される（ステップＳ１６０２）。すなわち、Ｕ、Ｖ成分の各データ値が０〜２５５までの２５６階調として表現されている場合、中心値の１２８が無彩色基準値０となるように変換される。
【０１１９】
次に、ステップＳ１５０２の結果得られるＵ、Ｖの各成分が、さらに｜Ｕ｜、｜Ｖ｜として絶対値化される（ステップＳ１５０３）。
【０１２０】
次に、ステップＳ１５０１で判定された任意の象限にて、対象座標がＵ軸上、Ｖ軸上のどちらに近いか確認され、座標が近いほうの軸が基準軸として採用される（ステップＳ１５０４）。
【０１２１】
次に、ステップＳ１５０３で算出された｜Ｕ｜、｜Ｖ｜の大小関係が確認される（ステップＳ１５０５）。
【０１２２】
次に、簡易色相角算出の基準になる基準比率Ｑが算出される（ステップＳ１５０６）。ここで、｜Ｕ｜＞｜Ｖ｜であればＱ＝｜Ｖ｜／｜Ｕ｜、｜Ｕ｜＜｜Ｖ｜であればＱ＝｜Ｕ｜／｜Ｖ｜として算出される。
【０１２３】
次に、簡易色相角の算出が開始される（ステップＳ１５０７）。具体的には、図７に示されるＵＶチャート上で、ステップＳ１５０４で決定された基準軸（Ｕ軸、Ｖ軸）上に予め決めた簡易色相角Ｐが取得される。ここで、図７に示されるように、
・Ｕ軸上（正方向）  ０、８
・Ｖ軸上（正方向）  ２
・Ｖ軸上（負方向）  ４
・Ｖ軸上（負方向）  ６
として、各簡易色相角を決めておく。
【０１２４】
次に、着目している各象限において、左周り方向を正として、０°から開始した場合に、｜Ｕ｜と｜Ｖ｜の大小関係より、各象限内での座標が４５°軸以下であるか大きいかが判定される。そして、ステップＳ１５０７で決定した基準軸の簡易色相角Ｐと、ステップＳ１５０６で計算した基準比率Ｑを用いて、下記計算が実行される。
【０１２５】
１）４５°以下の場合
基準軸の簡易色相角Ｐ＝Ｐ1 、基準比率Ｑ＝Ｑ1 、簡易色相角をＡ＝Ａ1 
とし、
簡易色相角Ａ1 ＝（基準軸の簡易色相角Ｐ1 ）＋（基準比率Ｑ1 ）・・・（１４） 
２）４５°より大きい場合
基準軸の簡易色相角Ｐ＝Ｐ2 、基準比率Ｑ＝Ｑ2 、簡易色相角をＡ＝Ａ2 
とし、
簡易色相角Ａ2 ＝（基準軸の簡易色相角Ｐ2 ）−（基準比率Ｑ２）・・・（１５） 
以上の（１４）式または（１５）式により簡易色相角Ａが算出され、出力される（ステップＳ１５０８）。
【０１２６】
図１６は、彩度補正部５０４の制御動作を示すフローチャートである。
彩度補正部５０４は、まず、図９（ａ）に例示される彩度色相補正テーブル５０６を参照する。これにより、彩度補正部５０４は、入力された簡易彩度値の両端に位置する２つの彩度離散値と、入力された簡易色相角値の両端に位置する２つの色相角の位置の離散値に対応する、４個の彩度補正量（図９（ｂ）参照）を取得する（ステップＳ１６０１）。
【０１２７】
次に、彩度補正部５０４は、２つの彩度離散値と簡易彩度との補間演算および２つの色相角離散値と簡易色相角との補間演算により、入力された簡易彩度および簡易色相角に対応する、補間された彩度補正量を算出し、出力する（ステップＳ１６０２）。例えば、前述のように簡易彩度が３２．３５が求まっているときに、彩度色相補正テーブル５０６の彩度の離散値３２に対応する彩度補正量が０．５３であったときに、その周辺の彩度補正量との補間演算の結果、補間された彩度補正量が０．５２９と算出される。
【０１２８】
そして、彩度補正部５０４は、補正前入力ＹＵＶ信号成分のＵ信号成分およびＶ信号成分を元彩度Ｕ値および元彩度Ｖ値とし、ステップＳ１６０２で算出された彩度補正量を用いて、前述の（９）式（具体的には（７）式および（８）式）を計算する。この結果、彩度補正部５０４は、無彩色基準の彩度補正後ＵＶ値（彩度補正後Ｕ値および彩度補正後Ｖ値）を算出し、出力する（ステップＳ１６０３）。例えば前述のように、無彩色基準の元彩度Ｕ値＝−３２．３５、元彩度Ｖ値＝９．０で、補間された彩度補正量が０．５２９であるときに、（７）式および（８）式に基づいて、無彩色基準の彩度補正後Ｕ値および彩度補正後Ｖ値が次のように算出される。
【０１２９】
−３２．３５＋（−３２．３５）×０．５２９＝−４９．５
９．０＋９．０×０．５２９＝１３．８
【０１３０】
図１７は、色相補正部５０５の制御動作を示すフローチャートである。
色相補正部５０５内の色相補正量取得部５２０は、まず、図１０（ｂ）に例示される彩度色相補正テーブル５０７を参照する。これにより、色相補正量取得部５２０は、入力された簡易彩度値の近傍に位置する複数の彩度離散値と、入力された簡易色相角値の近傍に位置する複数の色相角の位置の離散値に対応する、複数個の色相補正量を取得する。次に、色相補正部５０５内の色相補正量ＵＶ成分取得部５２１は、取得した各色相補正量を、図１０および図１１で説明したアルゴリズムに基づいて、各色相補正量をＵ値色相補正量とＶ値色相補正量に分解する（以上、ステップＳ１７０１）。
【０１３１】
次に、色相補正部５０５内の色相補正量補間部５２２は、複数の離散値に対応する各Ｕ値色相補正量から、簡易彩度と簡易色相角の各値に基づいて補間演算により、補間されたＵ値色相補正量を算出する。同様に、色相補正量補間部５２２は、複数の離散値に対応する各Ｖ値色相補正量から、簡易彩度と簡易色相角の各値に基づいて補間演算により、補間されたＶ値色相補正量を算出する（ステップＳ１７０２）。
【０１３２】
図１８は、彩度色相補正テーブル５０７の具体的数値例を示す図である。いま例えば、彩度補正部５０４において算出された彩度補正後ＵＶ値（無彩色基準）が、Ｕ＝９７−１２８＝−３１、Ｖ＝１１７−１２８＝−１１であるとする。また、元のＹ値は１２７であるとする。この場合、Ｕ値とＶ値の符号関係より、入力画像の簡易色相角は、彩度色相補正チャート上の第３象限（III）（図１０（ｃ）参照）内のＵ軸に近い所に位置することがわかる。従って、これらの入力に対して、図１８の彩度色相補正テーブル５０７を用いて、簡易色相角＝４の近傍で色相補正を行う場合を考える。色相補正部５０５は、彩度色相補正テーブル５０７に記憶された簡易色相角＝４の色相補正量０．２およびその近傍の簡易色相角に対応する色相補正量から、色相補正量からＵ値色相補正量およびＶ値色相補正量への分解およびそれらの補間演算を実行する。具体的には、簡易色相角４の色相補正量は、Ｕ値の色相補正量＝０、Ｖ値の色相補正量＝０，２である。また、簡易色相角５の色相補正量は、Ｕ，Ｖ共に０である。これより現画像値Ｕ＝−３１，Ｖ＝−１１に対応するＵ値色相補正量は、簡易色相角４のＵ値色相補正量＝０と簡易色相角５のＵ値色相補正量＝０から補間演算により算出できる。Ｕ値補正量は簡易色相角４付近で−Ｈ１，０，Ｈ１と変化することを考慮する。一方現画像値Ｕ＝−３１、Ｖ＝−１１に対応するＶ値色相補正量はＵ値色相補正量とは独立に簡易色相角＝４のＶ値色相補正量＝０，２と簡易色相角５のＶ値色相補正量＝０とその補間演算により算出できる。すなわち（０，２−０）×１１/３１＝０，０７と算出できる。ここで、Ｖ値補正量は簡易色相角＝４付近で−Ｈ１、−Ｈ１、−Ｈ１と変化することを考慮する。この結果例えば、Ｕ値色相補正量＝０．０２２とＶ値色相補正量＝−０．０７の２値が算出される。すなわち、Ｕ＝−３１およびＶ＝−１１に対応する簡易色相角は、第３象限（III）内のＵ軸にかなり近い所に位置する。このため、Ｕ値色相補正量の絶対値は小さい値であり、Ｕ値色相補正量の符号は正符号となる（図１１（ａ）参照）。また、Ｖ値色相補正量の絶対値は比較的大きい値であり、Ｖ値色相補正量の符号は負符号となる（図１１（ｂ）参照）。なお、Ｕ値色相補正量およびＶ値色相補正量の具体的な演算値は、補間演算方式等によって異なる。
【０１３３】
そして、色相補正部５０５内の色相補正演算部５１１は、彩度補正後Ｕ値および彩度補正後Ｖ値と、ステップＳ１７０２で算出されたＵ値色相補正量およびＶ値色相補正量を用いて、前述の（１２）式（具体的には（１０）式および（１１）式）を計算する。この結果、色相補正演算部５１１は、無彩色基準の色相補正後ＵＶ値（色相補正後Ｕ値および色相補正後Ｖ値）を算出し、出力する（ステップＳ１７０３）。例えば前述のように、彩度補正後ＵＶ値（無彩色基準）が、Ｕ＝９７−１２８＝−３１、Ｖ＝１１７−１２８＝−１１で、Ｕ値色相補正量＝０．０２２、Ｖ値色相補正量＝−０．０７であるとする。このとき、色相補正演算部５１１は、まず、彩度補正後ＵＶ値の無彩色基準の絶対値の大きい方、すなわち｜Ｕ｜＝３１として、簡易彩度を算出した上で、（１０）式および（１１）式を次のように計算する。
【０１３４】
色相補正後Ｕ値＝−３１＋３１×０．０２２＝−３０．３
色相補正後Ｖ値＝−１１＋３１×（−０．０７）＝−１３．２
【０１３５】
図１９は、補正後画像出力部５０８の制御動作を示すフローチャートである。
補正後画像出力部５０８は、色相補正部５０５が出力する無彩色基準の色相補正後ＵＶ値を入力すると共に、元の補正前のＹ値を入力し、次の（１６）式の変換式により、補正後出力ＲＧＢ画像のＲＧＢ画素値を生成し、出力する（ステップＳ１９０１）。
【０１３６】
補正後出力Ｒ値＝Ｙ＋１．４０２（色相補正後Ｖ値−１２８）
補正後出力Ｇ値＝Ｙ−０．３４４（色相補正後Ｕ値−１２８）
−０．７１４（色相補正後Ｖ値−１２８）  ・・・（１６）
補正後出力Ｂ値＝Ｙ＋１．７７２（色相補正後Ｕ値−１２８）
−０．００１（色相補正後Ｖ値−１２８）
【０１３７】
例えば、色相補正後Ｕ値＝７８、色相補正後Ｖ値＝１４１で、補正前のＹ値＝１４７であるときに、（１６）式より、補正後出力ＲＧＢ値は、次のように計算される。
【０１３８】
補正後出力Ｒ値＝１２７＋１．４０２（１４１−１２８）＝１６５．２
補正後出力Ｇ値＝１２７−０．３４４（７８−１２８）
−０．７１４（１４１−１２８）＝１５４．９
補正後出力Ｂ値＝１２７＋１．７７２（７８−１２８）
−０．００１（１４１−１２８）＝５８．４
【０１３９】
以上説明した実施形態では、彩度補正部５０４と色相補正部５０５をともに備える構成について説明したが、何れか一方のみを備えて、彩度補正処理または色相補正処理のいずれかのみを実施するような形態が採用されてもよい。
【０１４０】
以上説明した実施形態では、図５の色相補正量取得部５２０が彩度色相補正テーブル５０７から取得した色相補正量の離散値を、色相補正量ＵＶ成分取得部５２１がＵ値色相補正量とＶ値色相補正量に離散値に分解している。これに対して、彩度色相補正テーブル５０７に、簡易彩度と簡易色相角に対応する離散値毎に、Ｕ値色相補正量とＶ値色相補正量を直接記憶させてもよい。
【０１４１】
以上説明した実施形態は、外光照射時だけではなく、デジタル画像の修正等において、彩度補正時に変化した色相を補正する用途に使用することができる。また、ディスプレイ表示やプリンタ印刷において、対象画像データが本来望む色相からずれた場合における色相補正にも使用することができる。さらに、色相を原画像から積極的に変更したいような場合にも、色相の変更を高速に実行することが可能となる。
【０１４２】
図２０は、上述の各実施形態の装置を実現できるコンピュータのハードウェア構成の一例を示す図である。
【０１４３】
図２０に示されるコンピュータは、ＣＰＵ２００１、メモリ２００２、入出力装置２００３、外部記憶装置２００５、可搬記録媒体２００９が挿入される可搬記録媒体駆動装置２００６、及び通信インターフェース２００７を有し、これらがバス２００８によって相互に接続された構成を有する。
【０１４４】
ＣＰＵ２００１は、当該コンピュータ全体の制御を行う。メモリ２００２は、プログラムの実行、データ更新等の際に、外部記憶装置２００５（或いは可搬記録媒体２００９）に記憶されているプログラム又はデータを一時的に格納するＲＡＭ等のメモリである。ＣＵＰ２００１は、プログラムをメモリ２００２に読み出して実行することにより、全体の制御を行う。
【０１４５】
入出力装置２００３は、ユーザによるキーボードやマウス等による入力操作を検出し、その検出結果をＣＰＵ２００１に通知し、ＣＰＵ２００１の制御によって送られてくるデータを表示装置や印刷装置に出力する。
【０１４６】
外部記憶装置２００５は、例えばハードディスク記憶装置である。可搬記録媒体駆動装置２００６は、可搬記録媒体２００９を収容するものである。通信インターフェース２００７は、例えばＬＡＮ（ローカルエリアネットワーク）の通信回線を接続するための装置である。
【０１４７】
実施形態による装置は、図５に示す機能ブロックを実現する各フローチャートに対応する各制御プログラムを、ＣＰＵ２００１が実行することで実現される。そのプログラムは、例えば外部記憶装置２００５や可搬記録媒体２００９に記録され、或いは通信インターフェース２００７によりネットワークから取得できるようにしてもよい。
【符号の説明】
【０１４８】
５０１  補正前画像入力部
５０２  簡易彩度算出部
５０３  簡易色相角算出部
５０４  彩度補正部
５０５  色相補正部
５０６  彩度色相補正テーブル
５０７  彩度色相補正テーブル
５０８  補正後画像出力部
５１０  色相補正量算出部
５１１  色相補正演算部
５２０  色相補正量取得部
５２１  色相補正量ＵＶ成分取得部
５２２  色相補正量補間部
【図５】
0005760409.tif 000002
【図６】
0005760409.tif 000003
【図７】
0005760409.tif 000004
【図８】
0005760409.tif 000005
【図９】
0005760409.tif 000006
【図１０】
0005760409.tif 000007
【図１１】
0005760409.tif 000008
【図１２】
0005760409.tif 000009
【図１３】
0005760409.tif 000010
【図１４】
0005760409.tif 000011
【図１５】
0005760409.tif 000012
【図１６】
0005760409.tif 000013
【図１７】
0005760409.tif 000014
【図１８】
0005760409.tif 000015
【図１９】
0005760409.tif 000016
【図２０】
0005760409.tif 000017
【図１】
0005760409.tif 000018
【図２】
0005760409.tif 000019
【図３】
0005760409.tif 000020
【図４】
0005760409.tif 000021